(57)【要約】      （修正有）【課題】ドア枠を上下のレールに取付けたままの状態でも透明シート又は防虫用ネットの張替えが可能なビニールハウス用ドア装置を提供する。【解決手段】上下一対のレールＶと、レールを支持する複数の縦支柱と、縦支柱を連結する横支柱Ｙを備えた出入り口にドアが設けられ、ドアが上下一対の横框Ｑと、左右一対の縦框と、横框と縦框の背部に形成した蟻溝８とからなるドア枠Ｐと、蟻溝内に係止線条を介して固定した透明シート又は防虫ネットとで構成されているとともに、上側横框と下側横框が上側レールと下側レール内にそれぞれスライド自在に挿入されているドア装置において、上側横框Ｑの短手方向の長さを蟻溝８が横支柱Ｙより下側に配置されるように設定した。【選択図】図１
0003206824.tif 000002
【実用新案登録請求の範囲】
【請求項１】
上下一対のレール（Ｖ）、（Ｒ）と、上記レール（Ｖ）、（Ｒ）を支持する複数の縦支柱（Ｘ）と、上記縦支柱（Ｘ）を連結する横支柱（Ｙ）を備えた出入り口にドア（Ａ）が設けられ、上記ドア（Ａ）が上下一対の横框（Ｑ）、（Ｒ）と、左右一対の縦框（Ｓ）、（Ｔ）と、上記横框（Ｑ）、（Ｒ）と縦框（Ｓ）、（Ｔ）の背部に形成した蟻溝（８）とからなるドア枠（Ｐ）と、上記蟻溝（８）内に係止線条を介して固定した透明シート又は防虫ネットとで構成され、上記上側横框（Ｑ）と下側横框（Ｒ）が上側レール（Ｖ）と下側レール（Ｗ）内にそれぞれスライド自在に挿入されているドア装置において、上記上側横框（Ｑ）の短手方向の長さを当該上側横框（Ｑ）の背部に形成した蟻溝（８）が上記横支柱（Ｙ）より下側に配置される長さに設定したことを特徴とするドア装置。
【請求項２】
上側レール（Ｖ）内にスライド自在に挿入されて支持片（１０）上を走行するダブル車輪型のローラ（Ｒ１）、（Ｒ２）と、このローラ（Ｒ１）、（Ｒ２）の中間軸部（１）を貫通して垂設された支持ロッド２とを備え、上記支持ロッド（２）に上側横框（Ｑ）の上部を直接又は板金具（５）介して連結してドア枠（Ｐ）を上側レール（Ｖ）にスライド自在に吊り持ちさせている請求項１に記載のドア装置。
【請求項３】
上側横框（Ｑ）を上端の水平フレーム（１１）と、上記水平フレーム（１１）の基端から下方に延びる上側垂直フレーム（１２）と、上記垂直フレーム（１２）の下端に連結され背部に開口部幅狭の蟻溝（８）を形成した蟻溝フレーム（１３）と、この蟻溝フレーム（１３）に屈曲部（１４ａ）を介して連結した下側垂直フレーム（１４）とで構成し、上記垂直フレーム（１２）の短手方向の長さを上記横支柱（Ｙ）より下方に延びる長さに設定している請求項１又は２に記載のドア装置。
【請求項４】
上側横框（Ｑ）を板金具（５）にボルト（３）とナット（４）とで固定した垂直フレーム（１５）、（２１Ａ）、と、上記垂直フレーム（１５）、（２１Ａ）の下端に屈曲部（１５ａ）、（２１ａ）、（２１ｃ）を介して連結され背部に開口部幅狭の蟻溝（８）を形成した蟻溝フレーム（１６）、（２２）とで構成し、垂直フレーム（１５）の短手方向の長さ又は垂直フレーム（１５）と板金具（５）の合計の短手方向の長さを上記横支柱（Ｙ）より下方に延びる長さに設定している請求項１又は２に記載のドア装置。
【請求項５】
上側横框（Ｑ）を上側の蟻溝フレーム（１８）と、上記上側の蟻溝フレーム（１８）に連結した蟻溝状の中間フレーム（１９）と、上記中間フレーム（１９）の下端に一体に連結され背部に蟻溝（８）を形成した下側の蟻溝フレーム（２０）とで構成され、上記上側の蟻溝フレーム（１８）と上記中間フレーム（１９）の合計の短手方向の長さを横支柱（Ｙ）より下方に延びる長さに設定している請求項１又は２に記載のドア装置。
【請求項６】
上側横框（Ｑ）は上側の第１のフレーム（Ｑ１）と、上記上側の第１のフレーム（Ｑ１）の下部に連結した下側の第２のフレーム（Ｑ２）、（Ｑ３）、（Ｑ４）とから構成され、上記第１のフレーム（Ｑ１）は上部の水平フレーム（２６）と、この水平フレーム（２６）の端部に屈曲部（２６ａ）を介して連結した上側蟻溝フレーム（３１）と、上記上側蟻溝フレーム（３１）に屈曲部（２７ａ）を介して結合した垂直フレーム（２７）とで構成され、上記第２のフレーム（Ｑ２）（Ｑ３）、（Ｑ４）は上記垂直フレーム（２７）に結合されると共に背部に蟻溝（８）を備えた下側蟻溝フレーム（３０）とで構成され、第１フレーム（Ｑ１）の短手方向の長さを上記蟻溝８が横支柱（Ｙ）より下側に配置される長さに設定している請求項１又は２に記載のドア装置。
【考案の詳細な説明】
【技術分野】
【０００１】
本考案は、ビニールハウス等の温室における出入り口に開閉自在に設けたドア装置に関し、特に、出入り口の上側と下側に設けたレールにスライド自在に設けられたドア装置に関する。
【背景技術】
【０００２】
一般に、ビニールハウス等の温室では、ハウス内に作業者が出入りする妻面側の出入り口に上下のレールを介してスライドする矩形の引き違いドアが開閉自在に設けられている。
【０００３】
上記従来のドアＡとしては、例えば、図１３に示すように、上下の横桟たる横框Ｑ、Ｒと、左右の縦桟たる縦框Ｓ、Ｔと、中間の補強枠Ｕとからなるドア枠Ｐと、ドア枠Ｐの背面側に形成した蟻溝、言い換えれば各横框Ｑ、Ｒと縦框Ｓ、Ｔと補強枠Ｕとの各背部に形成した各蟻溝内に固定して展張した透明シート又は防虫用ネットとで構成されたものが使用されている。
そして、このドアＡのドア枠Ｐは、上側横框Ｑ又は下側横框Ｒに設けたローラを介して上側レールＶ又は下側レールＷにスライド自在に取り付けて使用されているのが一般的である。
【０００４】
この場合、上下のレールＶ、Ｗは縦方向の複数の支柱Ｘに固定され、各支柱Ｘ同士は横方向の支柱Ｙで支えられている。
【０００５】
ドア枠Ｐは予めハウス外で組み立てられ、透明シート又は防虫用ネットもハウス外で展張され、組み立てられたドアＡは出入り口に搬送されて上側のレールＶにローラを介してスライド自在に吊り持ちされる。
この時、上側横框Ｑの蟻溝は、横方向の支柱Ｙに対向する位置に配置される場合が多い。
【０００６】
ドア枠Ｐをローラを介して上側レールＶに吊持ちさせながらスライドさせる公知のドアとしては、例えば、特許文献１に開示された図１４に示すもの、又は図１５に示す公知のものが開発されている。
【０００７】
特許文献１に開示されているドアの吊持ち構造は、図１４に示すように、上側レールＶ内にスライド自在に挿入されて支持片１０上を走行するダブル車輪型のローラＲ１、Ｒ２と、このローラＲ１、Ｒ２の中間軸部１を貫通して垂設された支持ロッド２と、ドア枠Ｐの上側横框Ｑの背面にボルト３とナット４とで固定したＬ字状の板金具５と、上記支持ロッド２に螺合して上記板金具５の上部水平片６を挟持するナット７とから構成されている。
【０００８】
そして、上側横框Ｑは背面側に長手方向に沿って蟻溝８が形成されており、この蟻溝８内に透明シート又は防虫用ネットの上端部が係止線条（図示せず）を介して固定されている。
【０００９】
同様に、図１５に示す公知のドアの吊持ち構造は、上側レールＶ内にスライド自在に挿入したダブル車輪型のローラＲ１、Ｒ２と、このローラＲ１、Ｒ２の中間軸部１を貫通して垂設された支持ロッド２と、ドア枠Ｐの上側横框Ｑの上端側水平片６を支持ロッド２に締結するナット７とから構成されている。
【００１０】
そして、上側横框Ｑの背部には水平片９より下方に長手方向に沿った形成した蟻溝８が設けられ、この蟻溝８内に透明シート又は防虫用ネットの上端が係止線条を介して固定されている。
【先行技術文献】
【特許文献】
【００１１】
特許文献１（特開平８−１４９９２７号公報  図５、段落（００１４）、要約参照）
【考案の概要】
【考案が解決しようとする課題】
【００１２】
しかしながら、特許文献１に開示されている図１４のドア装置、図１５に示す公知のドア装置は機能上欠陥があるわけではないが、次のような不具合の改善が望まれている。
【００１３】
即ち、上記したように、図１４、図１５に示すドア装置では、ドア枠Ｐを妻面側の出入り口に吊り下げた時、図１３に示すように上側横框Ｑの背部に形成している蟻溝８が縦支柱Ｘを支える横支柱Ｙに対向して配置されている場合がある。
一方、ドア枠Ｐに展張した透明シート又は防虫用ネットは長期間使用していると劣化し、或いは一部破損してしまう場合があり、この時は新しい透明シート又は防虫用ネットを交換する張替え作業が必要となる。
【００１４】
しかるに、この張替え作業は、ドア枠Ｐを上側レールＶに吊持ちした状態で行うのが作業効率の点から好ましいが、上記のように、蟻溝８に対向して横支柱Ｙからなる干渉部材が対向して存在するとこの干渉物が邪魔してドア枠Ｐを上側レールＶに吊持ちしたままの状態ではシート等の張替え作業が行えず、いちいちドア枠Ｐを上側のレールＶから外してハウス外の場所に搬送し、そこで張替え作業を行い、次いで、張替え作業終了後再度ドア枠Ｐをハウスまで搬送して上側レールＶおよび下側レールＷに取付ける必要があり、作業性、経済性に劣り、その改善が望まれている。
【００１５】
そこで、本考案は、ドア枠を上下のレールに取付けたままの状態でも透明シート又は防虫用ネットの張替えが可能なドア装置を提供することである。
【課題を解決するための手段】
【００１６】
上記の目的を達成する為、本考案の手段は、上下一対のレールと、上記レールを支持する複数の縦支柱と、上記縦支柱を連結する横支柱を備えた出入り口にドアが設けられ、上記ドアが上下一対の横框と、左右一対の縦框と、上記横框と縦框の背部に形成した蟻溝とからなるドア枠と、上記蟻溝内に係止線条を介して固定した透明シート又は防虫ネットとで構成され、上記上側横框と下側横框が上側レールと下側レール内にそれぞれスライド自在に挿入されているドア装置において、上記上側横框の短手方向の長さを当該上側横框の背部に形成した蟻溝が上記横支柱より下側に配置される長さに設定したことを特徴とするものである。
【考案の効果】
【００１７】
各請求項の考案によれば、次の特有の効果を達成できる。
【００１８】
本考案によれば、上側横框の蟻溝が出入り口を構成する横支柱より下側に配置されているので、この横支柱に邪魔されることなく、ドア枠を上側レールに取付けた状態のままで劣化し、或いは破損している透明シート又は防虫用ネットをこの蟻溝から取外しでき、次いで、新しい透明シート又は防虫用ネットを蟻溝の固定でき、その張替え作業ができる。
【００１９】
この為、透明シート又は防虫用ネットの張替え作業のスピードアップを図れ、作業効率が向上し、人件費の削減を図れ、作業性、経済性の向上を達成できる。
【図面の簡単な説明】
【００２０】
【図１】本考案の実施の形態に係るドア枠における上側横框を上側レールに吊り持ちさせた状態の縦断側面図である。
【図２】本考案の他の実施の形態に係るドア枠における上側横框を上側レールに吊り持ちさせた状態の縦断側面図である。
【図３】同じく他の実施の形態に係るドア枠における上側横框を上側レールに吊り持ちさせた状態の縦断側面図である。
【図４】同じく他の実施の形態に係るドア枠における上側横框を上側レールに吊り持ちさせた状態の縦断側面図である。
【図５】同じく他の実施の形態に係るドア枠における上側横框を上側レールに吊り持ちさせた状態の縦断側面図である。
【図６】同じく他の実施の形態に係るドア枠における上側横框を上側レールに吊り持ちさせた状態の縦断側面図である。
【図７】同じく他の実施の形態に係るドア枠における上側横框を上側レールに吊り持ちさせた状態の縦断側面図である。
【図８】同じく他の実施の形態に係るドア枠における上側横框を上側レールに吊り持ちさせた状態の縦断側面図である。
【図９】同じく他の実施の形態に係るドア枠における上側横框を上側レールに吊り持ちさせた状態の縦断側面図である。
【図１０】同じく他の実施の形態に係るドア枠における上側横框を上側レールに吊り持ちさせた状態の縦断側面図である。
【図１１】同じく他の実施の形態に係るドア枠における上側横框を上側レールに吊り持ちさせた状態の縦断側面図である。
【図１２】本考案の一実施の形態に係るドア装置の斜視図である
【図１３】従来のドア装置の斜視図である。
【図１４】従来のドア枠における上側横框を上側レールに吊り持ちさせた状態の縦断側面図である。
【図１５】同じく他の従来のドア枠における上側横框を上側レールに吊り持ちさせた状態の縦断側面図である。
【考案を実施するための形態】
【００２１】
以下本考案の実施の形態を図に基づいて説明する。
【００２２】
本考案は、ビニールハウス等の温室における出入り口の上側と下側に設けたレールにスライド自在に設けられたドア装置に関するものである。
図１２及び図１〜図１１は本考案の一実施の形態に係るドア装置を示し、これは図１３の従来のドア装置と基本構造が同じである。
即ち、この実施の形態に係るドアＡは、上下の横桟たる横框Ｑ、Ｒと、左右の縦桟たる縦框Ｓ、Ｔと、中間の補強枠Ｕとからなるドア枠Ｐと、各横框Ｑ、Ｒと縦框Ｓ、Ｔと補強枠Ｕとの各背部に形成した各蟻溝８内に固定して展張した透明シート又は防虫用ネットとで構成されている。
このドアＡのドア枠Ｐは、上側横框Ｑに設けたローラＲ１を介して上側レールＶにスライド自在に取り付けられている。
ただし、ドア枠Ｐは下側横框Ｒに設けたローラを介して下側のレールＷ内にスライド自在に取付けても良い。
ローラＲ１は金具Ｋを介して上側横框Ｑに取付けられているが、金具Ｋを使用せずボルトとナットその他の手段を介して固定しても良い。
また、ローラＲ１を使用せず、直接上側横框Ｑと下側横框Ｒをそれぞれ上側レールＶと下側レールＷ内にスライド自在に挿入しても良い。
図１３で示したように、出入り口には上側横框Ｑに対向して横支柱Ｙが設けられているが、本考案では、上側横框Ｑの背部に横支柱Ｙより下側に位置する位置に蟻溝８を設けたことを特徴とするものである。
次にこの上側横框Ｑの構造と、これを上側レールＶに吊り持ちさせる構造について図１〜図１１の各実施の形態について説明する。
図１〜図１１の各実施の形態は上側横框ＱをローラＲ１、Ｒ２を介して上側レールＶに吊持ちされながら水平方向にスライドする構造を採用している点で共通している。
そして、各実施の形態では、上側横框Ｑの背部に設けた蟻溝８が必ず横支柱Ｙより下側にくる構造を採用している点で共通している。
【００２３】
同じく、各実施の形態に係るドアの吊持ち構造は共通しており、これは、上側レールＶ内にスライド自在に挿入されて支持片１０上を走行するダブル車輪型のローラＲ１、Ｒ２と、このローラＲ１、Ｒ２の中間軸部１を貫通して垂設された支持ロッド２と、上記支持ロッド２に螺合して上側横框Ｑの上部を直接又は板金具５介して挟持するナット７とから構成されている。
【００２４】
上側横框Ｑは背面側に長手方向に沿って蟻溝８が形成されており、この蟻溝８内に透明シート又は防虫用ネットの上端部が係止線条（図示せず）を介して固定されている。
【００２５】
図１の実施の形態に係るドア装置の上側横框Ｑは上端の水平フレーム１１と、この水平フレーム１１の基端から下方に延びる上側垂直フレーム１２と、この垂直フレーム１２の下端に連結され背部に開口部幅狭の蟻溝８を形成する蟻溝フレーム１３と、この蟻溝フレーム１３に屈曲部１４ａを介して連結した下側垂直フレーム１４とで構成されている。
【００２６】
この場合、水平フレーム１１は支持ロッド２に螺合するナット７で支持ロッド２に締結されてローラＲ１、Ｒ２側に接続され、これにより上側横框Ｑと全体のドア枠Ｐが上側レールＶにスライド自在に吊持ちされている。
【００２７】
また、注目すべき点は、垂直フレーム１２の短手方向の長さは横支柱Ｙより下方に延びる長さに設定されており、その結果蟻溝８は横支柱Ｙより下方に配置されている。
【００２８】
この為、蟻溝８内に固定されている透明シート又は防虫用ネットが劣化し、あるは、破損している場合は、上側横框Ｑを上側レールＶに吊持ちさせた状態で横支柱Ｙに邪魔されることなく作業者がこれらの透明シート又は防虫用ネットを取外し、次いで新しい透明シート又は防虫用ネットを交換してこれを固定でき、所謂透明シート又は防虫用ネットの張替え作業を一人の作業者で行うことが出来る。
【００２９】
従って、ドア枠Ｐを上側レールＶから外してハウス外で張替え作業する場合に比較してその作業のスピードアップを図れ、人件費の削減が可能であり、作業性、経済性の向上を達成できる。
【００３０】
図２は本考案の他の実施の形態を示し、これは図１の上側横框Ｑの一部を変更したものある。
【００３１】
即ち、この上側横框Ｑは下側垂直フレーム１４の端部に更に水平フレーム１４ｂを水平方向に一体に延長してフレームの補強を図ったものである。
【００３２】
その他の構成、作用、効果は図１に実施の形態と同じである。
【００３３】
図３の実施の形態に係るドア装置では、図１４の従来技術と同じく支持ロッド２に対してナット４で締結したＬ字状の板金具５に上側横框Ｑを連結したものである。
【００３４】
そして、上側横框Ｑは板金具５にボルト３とナット４とで固定した垂直フレーム１５と、この垂直フレーム１５の下端に屈曲部１５ａを介して連結され背部に開口部幅狭の蟻溝８を形成する蟻溝フレーム１６と、この蟻溝フレーム１６に屈曲部１７ａを介して連結した水平フレーム１７とで構成されている。
【００３５】
この場合、垂直フレーム１５の短手方向の長さ又は垂直フレーム１５と板金具５の合計の短手方向の長さは横支柱Ｙより下方に延びる長さに設定されており、その結果蟻溝８は横支柱Ｙより下方に配置され、横支柱Ｙと干渉することなく蟻溝８内に対して透明シート又は防虫用ネットの張替え作業を行えるようになっている。
垂直フレーム１５はボルト３とナット４とを介して板金具５に連結され、板金具の水平片６は図１４の従来技術と同じく支持ロッド２にナット７を介して締結されている。
その他の構成、作用効果は図１〜図２の実施の形態と同じである。
【００３６】
図４の実施の形態における上側横框Ｑは上側の蟻溝フレーム１８と、この上側の蟻溝フレーム１８に連結した蟻溝状の中間フレーム１９と、この中間フレーム１９の下端に一体に連結され背部に蟻溝８を形成している下側蟻溝フレーム２０とで構成されている。
【００３７】
この場合、上側蟻溝フレーム１８と中間フレーム１９の合計の短手方向の長さは横支柱Ｙより下方に延びる長さに設定されており、その結果蟻溝８は横支柱Ｙより下方に配置され、横支柱Ｙと干渉することなく蟻溝８内に対して透明シート又は防虫用ネットの張替え作業を行えるようになっている。
【００３８】
上下の蟻溝フレーム１８、２０はボルト３とナット４とを介して板金具５に結合しているが、その他の構成、作用効果は図１〜図３の実施の形態と同じである。
【００３９】
図５の実施の形態に係る上側横框Ｑは上側の垂直フレーム２１Ａを下側に延長したものであり、実質的に図１〜図４の実施の形態と構成、作用効果は同じである。
【００４０】
同じく、図６の実施の形態の上側横框Ｑは図５の実施の形態における中間の屈曲フレーム２１ａに比較して中間の屈曲フレーム２１ｃの膨らみを小さくし、蟻溝８の位置を若干上方にずらしたものである。
【００４１】
その他の構成、作用効果は図６の実施の形態と同じである。
【００４２】
次に、図７〜図１１に示す他の実施の形態は上側横框Ｑがそれぞれ蟻溝８を備えた二つ以上のフレームＱ１、Ｑ２を縦方向に沿って連結して構成され、下側のフレームＱ２に設けた蟻溝８を横支柱Ｙより下側に配置させた点で共通する。
図７の実施の形態に係る上側横框Ｑは上側の第１のフレームＱ１と、この上側の第１のフレームＱ１の下部に連結した下側の第２のフレームＱ２から構成されている。
第１のフレームＱ１は上部の水平フレーム２６と、この水平フレーム２６の端部に屈曲部２６ａを介して連結した上側蟻溝フレーム３１と、上側蟻溝フレーム３１に屈曲部２７ａを介して結合した垂直フレーム２７とで構成されている。
第２のフレームＱ２は垂直フレーム２８と、この垂直フレーム２８に屈曲部２９を介して結合され、背部に蟻溝８を備えた下側蟻溝フレーム３０とで構成されている。
【００４３】
・  第２のフレームＱ１、Ｑ２の垂直フレーム２７、２８は溶接、
又はボルトとナット等で結合されている。
そして、少なくとも、第１フレームＱ１の短手方向の長さは下側の蟻溝８が横支柱Ｙより下側に配置される長さに設定され、横支柱に邪魔されることなく蟻溝８に対して透明シート又は防虫用ネットの張り替え作業を置くなうことができるようになっている。
その他の構成、作用効果は図１〜図６の実施の形態と同じである。
図８の実施の形態は、屈曲部２９ａの長さを図７の屈曲部２９より小さくして寸法を短くし、また下側の蟻溝フレーム３０に屈曲部３０ａを介して補強用の水平フレーム３０ｂを連結した点で図７の実施の形態と相違するが、その他の構成、作用効果は図７に実施の形態と同じである。
同じく、図９の実施の形態は、屈曲部２９ａを図７の実施の形態の屈曲部２９に比べて小さくしている点で差異があるが、その他の構成、作用効果は実施的に図７の実施の形態と同じである。
図１０の実施の形態に係る上側横框Ｑは上側の第１のフレームＱ１と、この上側の第１のフレームＱ１の下部に連結した下側の第２のフレームＱ２から構成されている。
第１のフレームＱ１は上部の水平フレーム２６と、この水平フレーム２６の端部に屈曲部２６ａを介して連結した上側蟻溝フレーム３１と、上側蟻溝フレーム３１に屈曲部２７ａを介して結合した垂直フレーム２７とで構成されている。
第２のフレームＱ３は中間の蟻溝フレーム３２と、この蟻溝フレーム３２に屈曲部３３を介して結合され、背部に蟻溝８を備えた下側蟻溝フレーム３４とで構成されている。
第１フレームＱ１の垂直フレーム２７と中間の蟻溝フレーム３２は溶接又はボルトとナット等で結合されている。
そして、少なくとも、第１フレームＱ１の短手方向の長さは下側の蟻溝８が横支柱Ｙより下側に配置される長さに設定され、横支柱に邪魔されることなく蟻溝８に対して透明シート又は防虫用ネットの張り替え作業を置くなうことができるようになっている。
この場合、中間の蟻溝フレーム３２の背部には蟻溝８が形成されているので、この中間の蟻溝フレーム３２を利用して透明シート又は防虫用ネットを展張してよい。
その他の構成、作用効果は図１〜図９の実施の形態と同じである。
図１１の実施の形態は、第１フレームＱ１の垂直フレーム２７に背部に蟻溝８を形成した下側の蟻溝フレーム３５の底部を溶接等で直接結合したものであり、下側の蟻溝フレーム３５の背部に形成した蟻溝８を横支柱Ｙの下側に配置できるようにしているものである。
その他の構成、作用効果は図１〜図１０の実施の形態と同じである。
【符号の説明】
【００４４】
Ａ  ドア
Ｖ、Ｒ    レール
Ｘ  縦支柱
Ｙ  横支柱（Ｙ）
Ｑ、Ｒ  横框
Ｑ１  第１のフレーム
Ｑ２、Ｑ３，Ｑ４  第２のフレーム
Ｒ１、Ｒ２  ローラ
Ｓ、Ｔ  縦框
Ｐ  ドア枠
１  中間軸
２  支持ロッド
３  ボルト
４  ナット
５  板金具
８  蟻溝
１０  支持片  
１１  水平フレーム
１２  垂直フレーム
１３  蟻溝フレーム
１４ａ  屈曲部
１５、２１Ａ  垂直フレーム
１６  蟻溝フレーム
１８上側の蟻溝フレーム
１９  中間フレーム
２０  下側の蟻溝フレーム
２１ａ  屈曲部
２１ｃ  屈曲部
２６  水平フレーム
２６ａ  屈曲部
２７  垂直フレーム
３０  下側蟻溝フレーム
３１  上側蟻溝フレーム
【図１】
0003206824.tif 000003
【図２】
0003206824.tif 000004
【図３】
0003206824.tif 000005
【図４】
0003206824.tif 000006
【図５】
0003206824.tif 000007
【図６】
0003206824.tif 000008
【図７】
0003206824.tif 000009
【図８】
0003206824.tif 000010
【図９】
0003206824.tif 000011
【図１０】
0003206824.tif 000012
【図１１】
0003206824.tif 000013
【図１２】
0003206824.tif 000014
【図１３】
0003206824.tif 000015
【図１４】
0003206824.tif 000016
【図１５】
0003206824.tif 000017